(57)【要約】  ホットスタンプ構成部材の製造方法が記載される。この方法は、熱間成形金型焼き入れによりホットスタンプ構成部材を提供する工程を含む。この方法は、更に、微細構造が変更された、幅が異なるホットステンプ構成部材の第１の領域及び第２の領域を選択する工程を含む。また、１以上の光学部材、及びレーザビームを生成するレーザ光源を備えたレーザシステムが提供される。そして、レーザシステムは、構成部材の長さに沿って動く。最後に、レーザシステムを用いて、単一経路において、選択された第１の領域及び第２の領域にレーザビームを照射する。レーザビームの照射の間に、レーザビームのスポットサイズが調整され、第１及び第２の領域の幅に適合される。ホットスタンプ構成部材で測定された温度に基づいて、レーザビームの出力が調整される。本開示は、更に、この方法で得られた構成部材にも関連する。【選択図】  図１ａ
2017536483.tif 000002
【特許請求の範囲】
【請求項１】
ホットスタンプ構成部材の製造方法であって、
熱間成形金型焼き入れによりホットスタンプ構成部材を提供する工程と、
微細構造が変更された、幅が異なるホットステンプ構成部材の第１の領域及び第２の領域を選択する工程と、
１以上の光学部材、及びレーザビームを生成するレーザ光源を備えたレーザシステムを提供する工程と、
レーザシステを構成部材の長さに沿ってレーザシステムを動かして、その間に、レーザシステムを用いてホットスタンプ構成部材の微細構造を変更するため、単一経路において、選択された第１の領域及び第２の領域にレーザビームを照射する工程と、
を含み、
レーザビームのスポットサイズが、レーザビームの照射中に調整され、第１及び第２の領域の幅に適合され、
ホットスタンプ構成部材の所定の領域で測定された温度に基づいて、レーザビームの出力が調整され、
第１の領域が衝突時にエネルギを吸収する柔らかい領域であり、第２の領域が次の工程で用いられる領域である方法。
【請求項２】
第２の領域がフランジまたはリベット領域である，請求項１に記載の方法。
【請求項３】
ホットスタンプ構成部材の領域を選択する工程が、ホットスタンプ構成部材の衝突試験を含む、請求項１または２に記載の方法。
【請求項４】
ホットスタンプ構成部材の領域を定める工程が、ホットスタンプ構成部材のシミュレーション試験を行うことを含む、請求項１または２に記載の方法。
【請求項５】
レーザビームを照射することが、レーザビームスポットの幅を８ｍｍから１８０ｍｍに調整すること、及びレーザスポットの高さを８ｍｍから１８０ｍｍに調整することを含む、請求項１から４の何れか１項に記載の方法。
【請求項６】
レーザビームを照射することが、光学部材上の連続駆動動作を用いて、レーザビームスポットのサイズ調整することを含む、請求項１から５の何れか１項に記載の方法。
【請求項７】
レーザビームを照射することが、１ｋＷから１０ｋＷの間の出力であって、光学的に２．３ｋＷから５．５ｋＷのレーザビームを用いることを含む、請求項１から６の何れか１項に記載の方法。
【請求項８】
レーザビームを照射することが、５ｍｍ／ｓから１００ｍｍ／ｓの前進速度でレーザシステムを用いることを含む、請求項１から６の何れか１項に記載の方法。
【請求項９】
レーザビームを照射することが、ホットスタンプ構成部材の所定の領域における温度を測定する光学温度計を用いることを含む、請求項１から８の何れか１項に記載の方法。
【請求項１０】
選択された領域微細構造の修正することが、ホットスタンプ構成部材の選択された領域に沿って一定温度を維持することを含む、請求項１から９の何れか１項に記載の方法。
【請求項１１】
レーザビームスポットの形状が実質的に矩形である、請求項１から１０の何れか１項に記載の方法。
【請求項１２】
レーザビームスポットの形状が実質的に円形である、請求項１から１１の何れか１項に記載の方法。
【請求項１３】
請求項１から１２の何れか１項に記載の方法により得られた構成部材。
【発明の詳細な説明】
【技術分野】
【０００１】
本発明は、２０１４年９月２２日に出願された欧州特許出願ＥＰ１４３８２３５４．０の利益を享受する。
【０００２】
本開示は、ホットスタンプ構成部材の製造方法、及びこの方法で得られた構成部材に関する。
【背景技術】
【０００３】
車両構造の分野において、軽量構造の基準を満たすため、軽量材料の開発及び実施がますます重要になってきている。エネルギ消費を改善するとともに、乗員の安全に対する増大する懸念により、衝突時における車両の一体性を改善した材料の採用をもたらしている。
【０００４】
熱間成形ダイクエンチング（ＨＦＤＱ）（ホットスタンプまたはプレス硬化とも知られる）として知られるプロセスは、ボロン鋼板を用いて、１５００ＭＰａまでの引張強さを有する超高強度鋼（ＵＨＳＳ）特性を有するスタンプ構成部材を作り出す。他の材料と比べて強度が増すことにより、より薄いゲージの材料を用いることができ、その結果、従来の冷間スタンプ軟鋼構成部材を越えた重量削減を実現できる。
【０００５】
ＨＦＤＱプロセスを用いて製造可能な典型的な車両構成部材には、ドアビーム、バンパビーム、断面／側面部材、Ａ／Ｂピラー補強材、及びウエストレール補強材が含まれる。
【０００６】
主要エリアにおける延性及びエネルギ消費を改善するため、同じ構成部材内により柔らかい領域を導入することが知られている。これにより、部分的な延性が得られるとともに、要求される全体的な高強度を維持する。部分的に、非常に高強度な（非常に固い）領域と、延性が増した（より柔らかい）領域とを含むように、ある構造構成部材の微細構造及び機械的特性を調整することにより、全体的なエネルギ消費を改善し、衝突時における構造的一体性の維持を可能にし、全体的な重量削減も可能にする。このような柔軟な領域は、衝突により構成部材がつぶれた場合、運動学的な動きを有利になるように変えることもできる。柔軟な領域は、衝突時の運動学、及び構成部材の形成を考慮して、製造することができる。この事実により、柔らかい領域の形状は、ますます複雑になってきている。
【発明の概要】
【発明が解決しようとする課題】
【０００７】
既知の解決策は、ＷＯ２０１２１５６０８４であり、レーザビーム法を用いた金属シート構成部材の所定のサブエリアの部分的硬度調整により、金属シート構成部材の画定された柔軟な領域を部分的に形成することが開示されている。
【０００８】
この解決策の問題点は、コーナー部や段差部のような特別な複雑な形状において、レーザの部品の交換の必要性に関する中断時間無しにレーザビームを適用するのが困難であろうことである。更に、構成部材をレーザビームに連続的に曝すことが何度か必要であり、よって、柔軟な領域を画定する時間が必要であろう。
【０００９】
ＥＰ２５６１９４６は、車両の構造構成部材の一部であって、厚さ１〜３ｍｍのメッキ鋼板から形成され、スポット溶接で第２の部分に接続されるようになっている部分の製造方法に関し、板材をホットスタンプする工程と、次に、４００から９００℃の間の温度に達するまで、５００Ｗから６ｋＷの間の出力の半導体レーザビームを照射して、第１の部品の少なくとも１箇所の予め選択された領域を熱処理する工程と、そして、冷却して微細構造を変化させ、当該領域に、意図的に低マルテンサイトの含有物を付与し、これにより熱処理されなかった近接領域に比べて、低強度、高延性を与える。
【００１０】
バウマン・マークスらの「ズーム光学部材及び１０ｋＷの変動帯レーザを用いた高強度鋼の部分熱処理」第８２３９巻Ｎｏ．１，２０１２年、１〜９頁には、半導体レーザに基づくファイバ連結１０ｋＷレーザ光源と、均一な出力密度を有する様々な寸法の矩形スポットを形成する均一ズーム光学システムとが記載されている。
【００１１】
本開示の目的は、ホットスタンプ構成部材の改善された製造方法を提供することにある。
【課題を解決するための手段】
【００１２】
第１の態様では、ホットスタンプ構成部材の製造方法が提供される。この方法は、熱間成形金型焼き入れによりホットスタンプ構成部材を提供する工程を含む。この方法は、更に、微細構造が変更された、幅が異なるホットステンプ構成部材の第１の領域及び第２の領域を選択する工程を含む。また、１以上の光学部材、及びレーザビームを生成するレーザ光源を備えたレーザシステムが提供される。そして、レーザシステムは、構成部材の長さに沿って動かくことができ、その間に、レーザシステムを用いてホットスタンプ構成部材の微細構造を変更するため、単一経路において、選択された第１の領域及び第２の領域にレーザビームを照射する。レーザビームの照射の間に、レーザビームのスポットサイズが調整され、第１及び第２の領域の幅に適合される。ホトツスタンプ構成部材の所定の領域で測定された温度に基づいて、レーザビームの出力が調整される。第１の領域が衝突時にエネルギを吸収する柔らかい領域であり、第２の領域が次の工程で用いられる領域である。
【００１３】
レーザビームを照射する間に、レーザビームを調整することは利点を有することが判明した。この点において、レーザビームスポットの様々なサイズ及び比率が提供され、よって、幅広い種類の形状を有する非常に特定の正確な幾何学的な形状を達成できる。その結果、時間のかかるプロセスヘッドの交換やそれに付随する再アライメントを回避することができ、これにより、製造時間や何回かのレーザビームの照射の必要性を減らすことができる。更に、複雑な形状を有する柔軟な領域において、同じレーザを使うことができ、よって、製造方法の標準化が改善できる。更に、調整可能なレーザビームスポットの一回だけの照射のみを要するという事実により、非常に高強度の（非常に固い）領域及び延性が増した（より柔らかい）領域の間の遷領域を小さくできる。このようにして、柔軟な領域を定める正確さが改善できる。ＨＦＤＱプロセスや超高強度材料を扱う場合、後工程では、部分的な微細構造の変更を要する。フランジを曲げたり、リベット等で部品を付けることを可能にするため、延性を増すことが必要となる。
【００１４】
更に、レーザビームの出力を、温度に基づいて調整することができるので、一貫した熱処理を得ることができる。
【００１５】
ここで説明するレーザ技術は、柔軟な領域の形成と組み合わされたこのような種類の後工程を許容する。分離された温度領域を提供する必要がないので、ホットスタンプ工程で用いられる金型はよって単純化できる。
【００１６】
好ましくは、微細構造が変更された第１及び第２の（及び可能なその他の）領域は、構成部材の長さに沿った単一工程におけるレーザにより加熱される。
【００１７】
更なる態様では、本開示は実質的に上記の任意の方法によって得られた、または得られることができる構成部材を提供する。
【図面の簡単な説明】
【００１８】
【図１ａ】実質的に上記の任意の方法で製造された柔軟な領域を有する構成部材の例を示す図である。
【図１ｂ】実質的に上記の任意の方法で製造された柔軟な領域を有する構成部材の例を示す図である。
【図２ａ】レーザシステムの各部及び実施例を示す図である。
【図２ｂ】レーザシステムの各部及び実施例を示す図である。
【図３ａ】レーザビームスポットの異なる特定の形状の例を示す図である。
【図３ｂ】レーザビームスポットの異なる特定の形状の例を示す図である。
【発明を実施するための形態】
【００１９】
限定されない本開示の実施例を、添付図面を参照しながら以下に説明する。図１ａ、１ｂは、実質的に上記の任意の方法で製造された柔軟な領域を有する構成部材の例を示す。図１ａの例において、Ｂピラー２１が模式的に示されている。同様に、図１ｂの例において、Ｂピラー２６が模式的に示されている。両方の構成部材２１及び２６は、例えば、ＨＦＤＱプロセスで形成される。ある実施例では、構成部材２１及び２６は鋼製であることができる。
【００２０】
図１ａでは、柔軟な領域２４は、例えば、延性が増加するように、微細構造を変更するように選択される。柔軟な領域の選択は、衝突試験やシミュレーションに基づくことができるし、柔軟な領域を選択するその他の方法を選択することもできる。柔軟な領域は、例えば、Ｂピラーのような部品において、最も有利な衝突挙動や、より良いエネルギ吸収を定めるためのシミュレーションによって画定することができる。レーザシステムを用いて、レーザビーム（図示せず）を選択された柔軟な領域に照射することができる。レーザスポットサイズは、レーザビームの照射の間に調整することができ、柔軟な領域２４の高さ及び／または幅に適合できる。よって、各々のレーザ照射の後の時間のかかるレーザシステムの光学部材の交換を回避することができる。同様に、第２の柔軟な領域は、上記のように選択された領域２３とすることができ、レーザビーム（図示せず）を第２の柔軟な領域２３に移動し、レーザシステムを使って、選択された領域にレーザビームを照射することができる。レーザの照射の間、レーザスポットサイズを、第２の柔軟な領域２３の形状に合わせて調整することができる。上記の同様に、レーザビーム（図示せず）を第３の柔軟な領域２２に移動し、レーザシステムを使って、選択された領域にレーザビームを照射することができる。同様に、レーザの照射の間、レーザスポットサイズを、選択された第３の柔軟な領域２２の形状に合わせて調整することができる。レーザの操作は、上記の柔軟な領域２４の場合と同様である。
【００２１】
このようにして、柔軟な領域２４、２３、２２の延性を促進させるとともに、柔軟な領域の隣の部分の強度を維持することができる。柔軟な領域２４、２３、２２の微細構造を変更することができ、例えば、レーザの照射の間、レーザスポットサイズを、選択された柔軟な領域の形状に合わせて調整することができる。例えば、柔軟な領域２４、２３、２２の引張強度を６００ＭＰ未満とすることができ、柔軟な領域２４、２３、２２の伸びを２０％まで増やすことができる。レーザスポットサイズを調整しながら、レーザシステムのただ１つの光学部材（図示せず）を用いて、柔軟な領域２４、２３、２２を得ることができる。その結果、工具への投資額及びメンテナンス費用を削減することができる。製造時間も削減できる。更に、柔軟な領域２４、２３、２２の開始及び終了地点における遷移領域を減少させることができる。
【００２２】
レーザビームは、あるパラメータに基づいて調整することができる。例えば、パラメータとして、パイロメータまたはカメラのような、高温を測るための温度計を用いて、構成部材８の所定の柔軟な領域で計測された温度が挙げられ、これによりレーザビームの温度を維持できる。柔軟な領域２４、２３、２２は異なる形状を有することができ、例えば、フランジ、より小さいまたは大きいスポット、複雑な幾何学的な形状のような異なる用途を有することができる。ここに記載された方法及びレーザの適用の実施例を用いて、単一の経路、または極めて少ない数の経路で、例えば、リベット領域の周囲、フランジの周囲、より大きな柔軟な領域等において、部分的な微細構造を変更できる。このような種類の後工程は、単一な経路における柔軟な領域の形成と組み合わせることができ、よって、製造時間を削減できる。分離さえた温度ゾーンを設ける必要がないので、ホットスタンププロセスで用いられる金型をより簡略化することができる。
【００２３】
図１ｂの実施例では、特定の形状の柔軟な領域２７が実施されるＢピラー２６の実施例が示されている。柔軟な領域の選択、Ｂピラーの構造、及び操作は図１ａに記載された場合と同様である。
【００２４】
図２ａは、レーザシステムの実施例を模式的に示し、レーザシステムは、ファイバコネクタ３を有することができる。ファイバコネクタ３は、１つの端部で光ファイバ１．１と接続できる。
【００２５】
ファイバコネクタ３により、光ファイバ１との、迅速で信頼性の高い接続及び取り外しが可能となる。光ファイバ１は、ビームの粒子及び波のガイドとして働くことができる。
【００２６】
コリメートユニット５が提供できる。コリメートユニット５により、レーザビームの動く方向を、特定の方向に位置合わせすることができる。
【００２７】
レーザシステムは、１色のパイロメータ８を有することができるが、例えば、２色のパイロメータ７のようなその他の態様も可能である。１色のパイロメータ８は、表面から出射される１つの波長の放射線を測定して温度を定めることができ、レーザビームの出力は、温度を考慮しながら調整することができる。
【００２８】
ズームホモジナイザ１０も、模式的に示されている。ズームホモジナイザ１０は、後述するように、レーザスポットの形状に適合できる。
【００２９】
その他の実施例では、ズームホモジナイザ１０が、第２の端部で接続ユニット２０に接続されるように構成できる。接続ユニット２０は、フォーカス部材１１に取り付けることができる。接続ユニット２０は、アダプタ９を備えるように構成できる。接続ユニット２０は、カメラ１５、例えば、ＥＭＡＱＳカメラに取り付けることができる。ＥＭＡＱＳカメラは、カメラを基本とした温度データ取得システムであるが、例えば、ＣＣＤカメラ１４のような他の態様も可能である。
【００３０】
その他の実施例では、ズームホモジナイザ１０が１色のパイロメータ６０に接続するように構成することができるが、例えば、２色のパイロメータに接続するような、その他の態様も可能である。１色のパイロメータ６０は、表面から出射される１つの波長の放射線を測定して温度を定めることができる。このようにして、レーザビームの出力を、温度を考慮しながら調整することができる。
【００３１】
レーザシステムは、ロボット（図示せず）の上に載置することもできる。ロボットは床状に載置することができるが、例えば、ルーフ上のような他の構成も可能である。ロボットは、共通手段（図示せず）により制御することができる。採用されるロボットの一例としては、ＡＢＢから入手可能なＩＲＢ６６６０またはＩＲＢ７６０がある。
【００３２】
レーザシステムのレーザ出力は、２００００Ｗに制限できる。
【００３３】
図２ｂでは、ズームホモジナイザ１０を模式的に示している。ズームホモジナイザ１０は、ビームを、例えば、矩形、円形のような形状に変換することができる。ズームホモジナイザ１０は、図２ａに示すレーザシステムの一部であることができる。ズームホモジナイザ１０は、少なくともレーザシステムを部分的に覆った筐体３８を備えることができる。
【００３４】
筐体３８は、レンズアレイ３０ａ、３０ｂ及び３０ｃを備えることができる。レンズアレイ３０ａ、３０ｂ及び３０ｃは、レーザ照射の間にスキャンされた要素の異なる領域の幅または長さに対して、レーザビームのスポットを調整できる。レンズアレイは、１８０ｍｍまでのエッジ長さまたは幅において、ライン又はエリアの様々なフォーカを実施できる。レーザフォーカスにおけるハット状のエネルギ分布を、全設定領域に渡って均一にすることができ、これにより、全設定領域に渡る均一なエネルギ入力を確実にすることができる。レンズアレイ３０ａ、３０ｂ及び３０ｃは、２００００Ｗまでのレーザパワー出力に適用するように設計できる。
【００３５】
ギアモータ３４により、レンズアレイ３０ａ、３０ｂ及び３０ｃ上で機能するレーザビームスポットのサイズを調整することができる。レーザビームスポットは、両軸上においてモータで調整可能にできる。複数のフォーカスサイズ及び比率は、レンズアレイ３０ａ、３０ｂ及び３０ｃを用いて実現できる。ギアモータ３４を用いたレンズアレイ３０ａ、３０ｂ及び３０ｃのモータ駆動により、レーザビームの幅または長さを動的に調整できる。ギアモータ３４の作動は、任意の機械制御システムに一体的に組み込むことができる。
【００３６】
ギアモータ３４は、ネジ付スピンドル３３に取り付けることができる。ネジ付スピンドルは、ギアモータ３４ｄで生成された動作を伝達することができる。ネジ付スピンドル３３には、一方の先端部で、スピンドルナット３２が取り付けられることができる。例えば、ギアモータ３４のようなズームホモジナイザ１０のある要素の動作を制御するために、動作制御ユニット３６を備えることができる。サーボのようなあるタイプの装置を用いて、ギアモータ３４の位置や速度を制御することができるが、例えば、油圧ポンプや、リニアアクチュエータ、または電気モータのようなその他の選択肢も可能である。
【００３７】
図３ａ及び３ｂは、レーザビームスポットの異なる特定の形状の例を示す。上記のように、レーザビームの様々な形状及び比率が提供され、よって、広い種類の形状を有する、非常に特定の正確な幾何学的な形状を達成できる。その結果、例えば、異なる曲線、異なるサイズ（長さ、幅及び高さ）を有する所望の幾何学的形状を提供できる。
【００３８】
例えば、図３ａは、矩形、円形及び四角形のような異なる既知の形状を示す。ｘ方向及びｙ方向は、個別に連即して変化できる。ｘ方向及びｙ方向の両方において、８ｍｍから２００ｍｍの間で、スポットが変化する。ｘ方向及びｙ方向の両方における変化は、例えば、ブラシレスＤＣサーボモータのようなモータによって実施される。レーザビームは、ホットスタンプ構成要素の柔らかい領域が要する温度を推定するため、例えば、パイロメータのような高温を測るための温度計を用いることが含まれる。よって、所望の領域内で、温度を維持することができる。
【００３９】
レーザが構成部材に沿って、処理される構成部材の様々な領域の間で、レーザが動くにつれて、スポットは、柔軟な領域を形成するのに必要な形状及びサイズを有するために調整されることができる。
【００４０】
図３ｂは、図３ａの形状を組み合わせることにより、単一の経路で得られるより複雑な形状を示す。ある例では、レーザビームの照射の間、レーザスポットの形状及びサイズの両方が変更される。温度測定により、レーザの出力を制御することにより、レーザスポットが大きく変化するにも関わらず、一貫した熱処理を得ることができる。
【００４１】
レーザの前進フィード速度を５ｍｍ／ｓから１００ｍｍ／ｓの間、レーザビームの出力を１ｋＷから１０ｋＷの間であって、光学的に２．３ｋＷから５．５ｋＷの間にして、ｘ方向及びｙ方向両方のレーザビームのスポットを変化させることによって、特に好結果が得られることを知見した。
【００４２】
ここでは、幾つかの実施例を開示したが、その他の実施例、変形、仕様及び／またはその均等物も可能である。更に、記載された実施例の全ての可能な組み合わせも含まれる。よって、本開示の範囲は、特定の実施例に限定されるものではなく、特許請求の範囲の適正な解釈によってのみ定められるべきである。
【図１ａ】
2017536483.tif 000003
【図１ｂ】
2017536483.tif 000004
【図２ａ】
2017536483.tif 000005
【図２ｂ】
2017536483.tif 000006
【図３ａ】
2017536483.tif 000007
【図３ｂ】
2017536483.tif 000008
【国際調査報告】
2017536483.tif 000009
2017536483.tif 000010